(57)【要約】【課題】記録媒体の貸し出しにおける利便性を向上させることができる記録媒体貸出装置、記録媒体貸出方法及びプログラムを提供すること。【解決手段】コンテンツが記憶された記録媒体を利用者に貸し出す記録媒体貸出装置であって、決済可能な決済カードの識別情報を読み取る決済カード読取手段と、施設で利用可能な有価価値が記憶された利用カードの前記有価価値を読み取る利用カード読取手段と、前記記録媒体の貸出料金を算出する算出手段と、前記算出手段によって算出された貸出料金を決済する決済手段とを備え、前記決済手段は、前記貸出料金の決済として、前記貸出料金の価値を、前記利用カード読取手段によって読み取られた有価価値から減算することを特徴とする。【選択図】図１
2009288966.tif 000002
【特許請求の範囲】
【請求項１】
コンテンツが記録された記録媒体を利用者に貸し出す記録媒体貸出装置であって、
決済可能な決済カードの識別情報を読み取る決済カード読取手段と、
施設で利用可能な有価価値が記憶された利用カードの前記有価価値を読み取る利用カード読取手段と、
前記記録媒体の貸出料金を算出する算出手段と、
前記算出手段によって算出された貸出料金を決済する決済手段とを備え、
前記決済手段は、
前記貸出料金の決済として、前記貸出料金の価値を、前記利用カード読取手段によって読み取られた有価価値から減算することを特徴とする記録媒体貸出装置。
【請求項２】
前記決済手段は、
前記決済カード読取手段によって読み取られた前記決済カードの識別情報が、記憶手段にあらかじめ記憶された前記決済カードの識別情報と一致する場合に、前記決済を行うことを特徴とする請求項１に記載の記録媒体貸出装置。
【請求項３】
前記決済手段は、
前記利用カード読取手段によって読み取られた有価価値が、前記算出手段によって算出された貸出料金以上である場合に、前記決済を行い、
前記有価価値が前記貸出料金以下である場合に、利用者からの指示のもと前記有価価値の増加を図るか、前記決済カードによって決済を行うことを特徴とする請求項１又は請求項２に記載の記録媒体貸出装置。
【請求項４】
前記決済手段は、
前記記録媒体の貸出日から所定の日時が経過した場合に、前記記録媒体の販売料金に基づいて前記決済カードによって決済を行うことを特徴とする請求項１から請求項３のいずれか一項に記載の記録媒体貸出装置。
【請求項５】
前記有価価値が、遊技場で利用可能な貯玉数であり、
前記利用カードが、前記貯玉数が記憶された貯玉カードであることを特徴とする請求項１から請求項４のいずれか一項に記載の記録媒体貸出装置。
【請求項６】
コンテンツが記憶された記録媒体を利用者に貸し出す記録媒体貸出方法であって、
決済カード読取手段が、決済可能な決済カードの識別情報を読み取る決済カード読取ステップと、
利用カード読取手段が、施設で利用可能な有価価値が記憶された利用カードの前記有価価値を読み取る利用カード読取ステップと、
算出手段が、前記記録媒体の貸出料金を算出する算出ステップと、
決済手段が、前記算出手段によって算出された貸出料金を決済する決済ステップとを備え、
前記決済ステップにおいて、
前記貸出料金の決済として、前記貸出料金の価値を、前記利用カード読取手段によって読み取られた有価価値から減算することを特徴とする記録媒体貸出方法。
【請求項７】
コンテンツが記憶された記録媒体を利用者に貸し出す記録媒体貸出装置におけるプログラムであって、
決済可能な決済カードの識別情報を読み取る決済カード読取手段と、
施設で利用可能な有価価値が記憶された利用カードの前記有価価値を読み取る利用カード読取手段と、
前記記録媒体の貸出料金を算出する算出手段と、
前記算出手段によって算出された貸出料金を決済し、前記貸出料金の決済として、前記貸出料金の価値を、前記利用カード読取手段によって読み取られた有価価値から減算する決済手段として、前記記録媒体貸出装置のコンピュータを機能させることを特徴とするプログラム。
【発明の詳細な説明】
【技術分野】
【０００１】
本発明は、コンテンツが記録された記録媒体を利用者に貸し出す記録媒体貸出装置、記録媒体貸出方法及びプログラムに関する。
【背景技術】
【０００２】
従来、映画や音楽などのコンテンツが記録された記録媒体を貸し出す種々のシステムが知られている（例えば、特許文献１参照。）。
これらシステムの中で、ＤＶＤなどの記録媒体を自動で貸し出す記録媒体貸出装置などが利用されている。
この記録媒体貸出装置は、複数のＤＶＤを格納しており、利用者の操作によって、所望のＤＶＤが排出されることにより、ＤＶＤが利用者に貸し出される。
【特許文献１】特開２００７−３２３５２９号公報
【発明の開示】
【発明が解決しようとする課題】
【０００３】
しかしながら、上記のような記録媒体貸出装置では、利用者は、記録媒体を借りるために、記録媒体貸出装置の設置場所までわざわざ出向いて行って所望の記録媒体を借りる必要があるため、不便さを与えてしまうという問題がある。このため、設置場所を運営する側の集客力向上などの営利に貢献する機能を提供する事で、設置場所の数が増加することを実現しなければならないといった、問題がある。
【０００４】
本発明は、このような事情に鑑みてなされたものであって、記録媒体の貸し出しにおける利便性を向上させることができる記録媒体貸出装置、記録媒体貸出方法及びプログラムを提供することを目的とする。
【課題を解決するための手段】
【０００５】
上記課題を解決するために、本発明は以下の手段を提供する。
本発明に係る記録媒体貸出装置は、コンテンツが記録された記録媒体を利用者に貸し出す記録媒体貸出装置であって、決済可能な決済カードの識別情報を読み取る決済カード読取手段と、施設で利用可能な有価価値が記憶された利用カードの前記有価価値を読み取る利用カード読取手段と、前記記録媒体の貸出料金を算出する算出手段と、前記算出手段によって算出された貸出料金を決済する決済手段とを備え、前記決済手段は、前記貸出料金の決済として、前記貸出料金の価値を、前記利用カード読取手段によって読み取られた有価価値から減算することを特徴とする。
【０００６】
また、本発明に係る記録媒体貸出装置は、前記決済手段が、前記決済カード読取手段によって読み取られた前記決済カードの識別情報が、記憶手段にあらかじめ記憶された前記決済カードの識別情報と一致する場合に、前記決済を行うことを特徴とする。
【０００７】
また、本発明に係る記録媒体貸出装置は、前記決済手段が、前記利用カード読取手段によって読み取られた有価価値が、前記算出手段によって算出された貸出料金以上である場合に、前記決済を行い、前記有価価値が前記貸出料金以下である場合に、利用者からの指示のもと前記有価価値の増加を図るか、前記決済カードによって決済を行うことを特徴とする。
【０００８】
また、本発明に係る記録媒体貸出装置は、前記決済手段が、前記記録媒体の貸出日から所定の日時が経過した場合に、前記記録媒体の販売料金に基づいて前記決済カードによって決済を行うことを特徴とする。
【０００９】
また、本発明に係る記録媒体貸出装置は、前記有価価値が、遊技場で利用可能な貯玉数であり、前記利用カードが、前記貯玉数が記憶された貯玉カードであることを特徴とする。
【００１０】
また、本発明に係る記録媒体貸出方法は、コンテンツが記憶された記録媒体を利用者に貸し出す記録媒体貸出方法であって、決済カード読取手段が、決済可能な決済カードの識別情報を読み取る決済カード読取ステップと、利用カード読取手段が、施設で利用可能な有価価値が記憶された利用カードの前記有価価値を読み取る利用カード読取ステップと、算出手段が、前記記録媒体の貸出料金を算出する算出ステップと、決済手段が、前記算出手段によって算出された貸出料金を決済する決済ステップとを備え、前記決済ステップにおいて、前記貸出料金の決済として、前記貸出料金の価値を、前記利用カード読取手段によって読み取られた有価価値から減算することを特徴とする。
【００１１】
また、本発明に係るプログラムは、コンテンツが記憶された記録媒体を利用者に貸し出す記録媒体貸出装置におけるプログラムであって、決済可能な決済カードの識別情報を読み取る決済カード読取手段と、施設で利用可能な有価価値が記憶された利用カードの前記有価価値を読み取る利用カード読取手段と、前記記録媒体の貸出料金を算出する算出手段と、前記算出手段によって算出された貸出料金を決済し、前記貸出料金の決済として、前記貸出料金の価値を、前記利用カード読取手段によって読み取られた有価価値から減算する決済手段として、前記記録媒体貸出装置のコンピュータを機能させることを特徴とする。
【発明の効果】
【００１２】
本発明によれば、記録媒体の貸し出しにおける利便性を向上させることができるとともに、例えば遊技場などの設置場所を運営する側の集客力向上などの営利に貢献する機能を提供する事で、設置場所の数を増加させることができる。
【発明を実施するための最良の形態】
【００１３】
（実施形態１）
以下、本発明の第１の実施形態における記録媒体貸出装置について、図面を参照して説明する。
図１は、本発明の第１の実施形態としての記録媒体貸出装置を示したものである。
記録媒体貸出装置１は、複数の貸出用のＤＶＤを格納しており、これらＤＶＤを利用者に貸し出すものである。また、この記録媒体貸出装置１は、パチンコなどの遊技場に設置されるものであり、キャッシュカードや貯玉カードなどにより、貸出料金の決済を行うものである。
なお、キャッシュカードは、氏名、番号、有効期限などを含む決済情報を記憶しており、買いものなどの決済に利用されるものである。また、貯玉カードは、遊技場で利用可能な貯玉数及び識別ＩＤを含む貯玉情報を記憶しており、遊技の結果によって、その貯玉数が書き換えられる。すなわち、貯玉カードに記憶された貯玉数とは、遊技場で利用可能な有価価値をいう。
記録媒体貸出装置１は、貸出料金の管理を行う管理サーバ２に接続されるものである。
なお、管理サーバ２は、貸出料金の決済処理を行う決済センター端末３に接続されている。
【００１４】
この記録媒体貸出装置１は、全体の動作を制御する制御部（算出手段、決済手段）４と、管理サーバ２と通信を行う通信部５と、種々の情報を記憶する記憶部（記憶手段）６と、制御部４の演算結果を表示する表示部７とを備えている。また、記録媒体貸出装置１は、利用者からの操作を受け付ける操作部８と、ＤＶＤのパッケージに付されたバーコードやＲＦＩＤなどの固有データを読み取るＤＶＤデータ読取部９と、貯玉カード（利用カード）を読み取る貯玉カード読取部（利用カード読取手段）１０と、クレジットカード（決済カード）を読み取るクレジットカード読取部（決済カード読取手段）１１とを備えている。
【００１５】
通信部５は、有線や無線などの通信手段によって管理サーバ２と通信を行い、貸出料金の決済のために、金額やクレジットカードの番号などを管理サーバ２に送信する。
記憶部６は、利用者のクレジットカードの決済情報や、貸し出し条件などを記憶する。
表示部７は、制御部４の指示のもと、演算結果などの種々の情報を表示する。
操作部８は、例えばボタンなどからなり、利用者がそれら操作部８を押下することにより、所定の信号を制御部４に出力する。
ＤＶＤデータ読取部９は、ＤＶＤに付されたバーコードやＲＦＩＤなどの固有データを読み取って、それら読み取った情報を制御部４に出力する。
貯玉カード読取部１０は、貯玉カードに記憶された貯玉情報を読み取り、制御部４に出力する。
クレジットカード読取部１１は、クレジットカードに記憶された決済情報を読み取り、制御部４に出力する。
【００１６】
制御部４は、貸出料金の決済処理を行うものである。例えば、制御部４は、貸し出し時において、貯玉カードから読み取った貯玉数が、貸出料金の価値に相当する玉数以上の場合には、記憶された貯玉数から、貸出料金の価値に相当する玉数分を減算して決済を行う。一方、制御部４は、貯玉カードから読み取った貯玉数が、貸出料金の価値に相当する玉数未満の場合には、一旦貸出しを拒絶し、貯玉カードへの貯玉数の積み増しを行って、再度貸出し行為を行なうか、又はクレジットカードでの決済を行なうかの選択を行なう必要が有る事を、表示部７に表示し、操作部からの利用者の指示命令に基づいて、貸出し行為を終了するか、又は通信部５を介してクレジットカードによる決算を行う。さらに、制御部４は、貸し出し時において、クレジットカードから読み取った決済情報が、あらかじめ記憶部６に記憶された決済情報と一致するか否かを判定し、一致している場合のみ、決済を行う。
【００１７】
また、制御部４は、返却時において、受け付けたＤＶＤの、貸出し条件などのデータを記憶部６から読み取り、延滞が発生していない場合はそのまま、返却受付処理を行う。制御部４は、受け付けたＤＶＤに延滞が発生している場合は、一旦返却を保留状態とし、延滞が発生している旨を表示部７に表示し、貯玉カードの挿入を要求する。挿入された貯玉カードから読み取った貯玉数が、延滞料金の価値に相当する玉数以上の場合には、記憶された貯玉数から、延滞料金の価値に相当する玉数分を減算して決済を行う。一方、制御部４は、貯玉カードから読み取った貯玉数が、延滞料金の価値に相当する玉数未満の場合には、一旦返却を拒絶し、貯玉カードへの貯玉数の積み増しを行って、再度貸返却行為を行なうか、又はクレジットカードでの決済を行なうかの選択を行なう必要が有る事を、表示７に表示し、操作部８からの利用者の指示命令に基づいて、返却行為を終了するか、又は通信部５を介してクレジットカードによる決算を行う。さらに、制御部４は、貸し出し日から所定の日数（例えば、３０日）が経過したか否かを判定し、所定の日数を経過したと判定すると、延滞料金に代えて、ＤＶＤの販売料金に基づいて、クレジットカードによる決済を行う。
【００１８】
次に、このように構成された本実施形態における記録媒体貸出装置１の動作について説明する。
なお、利用者は利用に際して、あらかじめ会員登録しておく必要がある。すなわち、操作部８の「登録」ボタンを利用者が押下すると、操作部８が登録指示信号を制御部４に出力し、制御部４は、「クレジットカードを挿入してください。」などと表示部７に表示する。そして、利用者が記録媒体貸出装置１の所定の挿入部（不図示）にクレジットカードを挿入すると、クレジットカード読取部１１が決済情報を読み出して、制御部４に出力する。制御部４は、その決済情報を会員情報として、上位の管理サーバ２に送信して管理サーバ２が会員登録として記憶するか、或いは記録媒体貸出装置１の中の記憶部６に記憶する。なお、会員登録は、インターネットを介して行うことも可能である。すなわち、利用者が端末に決済情報を入力し、その端末が管理サーバ２に会員登録のための決済情報を送信し、管理サーバ２が決済情報を会員登録として記憶するか、或いは記録媒体貸出装置１へ送信し、記憶部６に記憶する。
【００１９】
このように、会員登録した利用者がＤＶＤを借りるときの、記録媒体貸出装置１の貸し出し処理について説明する。
図２及び図３は、記録媒体貸出装置１の貸し出し処理を示すフローチャートである。
利用者が、操作部８の貸し出しボタンを押下すると、操作部８は、貸し出し処理信号を制御部４に出力する。制御部４は、貸出処理信号を受け付けると、ＤＶＤの選択動作要求を表示部７に表示する（ステップＳ１）。例えば、「お好きなＤＶＤとご利用期間を選択してください。」などと、表示部７に表示される。
【００２０】
そして、制御部４は、操作部８の出力を読み出して、貸出要求信号の出力があるか否かを判定する（ステップＳ２）。制御部４は、貸出要求信号の出力がないと判定すると、操作部８の出力を再度読み出してステップＳ２の処理を繰り返す。一方、利用者が、操作部８の選択ボタンを押下することにより、所望のＤＶＤを選択するとともに、例えば１週間などの利用期間を選択すると、操作部８は、ＤＶＤの識別番号と利用期間情報を含む貸出要求信号を制御部４に出力する。制御部４は、この貸出要求信号を読み出すと、出力があったと判定し、貸出要求信号から識別番号と利用期間情報とを抽出する（ステップＳ３）。そして、制御部４は、不図示の計時部から読み出した本日（貸出日）の日時情報と読み出した利用期間及び識別番号とに基づいて、貸出料金を演算して、演算結果を表示部７に表示する（ステップＳ４）。具体的には、制御部４は、ＤＶＤの識別情報に基づいて、記憶部６から基本料金を読み出し、この基本料金と、本日の日時情報及び利用期間とによって、トータルの貸出料金を演算する。
【００２１】
さらに、制御部４は、クレジットカード及び貯玉カードの読取動作要求を表示部７に表示する（ステップＳ５）。例えば、「クレジットカード及び貯玉カードを挿入してください。」などと表示部７に表示される。
そして、制御部４は、クレジットカード読取部１１及び貯玉カード読取部１０の出力を読み出し、出力信号があるか否かを判定する（ステップＳ６）。制御部４は、出力信号がないと判定すると、クレジットカード読取部１１及び貯玉カード読取部１０の出力を再度読み出して、ステップＳ６の処理を繰り返す。一方、利用者がクレジットカード及び貯玉カードを記録媒体貸出装置１の所定の挿入部（不図示）に挿入すると、クレジットカード読取部１１がクレジットカードの決済情報を読み出し、制御部４に出力するとともに、貯玉カード読取部１０が貯玉カードの貯玉情報を読み出して、制御部４に出力する。制御部４は、それら決済情報及び貯玉情報を受け付けると、出力信号があったと判定し、その出力信号から決済情報及び貯玉情報を読み出す（ステップＳ７）。
【００２２】
さらに、制御部４は、読み出した決済情報が会員登録された正規のものであるか否かを判定する（ステップＳ８）。すなわち、制御部４は、読み出した決済情報が、あらかじめ会員登録された決済情報として、管理サーバ２に記憶されている決済情報、或いは記憶部６に記憶されている決済情報と一致するか否かを判定する。そして、制御部４は、読み出した決済情報が管理サーバ２に記憶されている決済情報、或いは記憶部６にあらかじめ記憶された決済情報と一致していないと判定すると、クレジットカードの番号が登録されていない旨を表示部７に表示する（ステップＳ９）。これにより、例えば、「会員登録されておりません。会員登録してから手続を行ってください。」などと表示部７に表示される。一方、制御部４は、読み出した決済情報が管理サーバ２に記憶されている決済情報、或いは記憶部６にあらかじめ記憶されているものと一致すると判定すると、貯玉カードから読み出した貯玉数が、演算した貸出料金に相当する玉数よりも大きいか否かを判定する（ステップＳ１０）。
【００２３】
そして、制御部４は、読み出した貯玉数の方が大きいと判定すると、この貯玉数から、貸出料金に相当する玉数分を減算する（ステップＳ１１）。これによって、貸出料金の決済が行われる。一方、制御部４は、貯玉カードから読み出した貯玉数の方が小さいと判定すると、一旦貸出しを拒絶し、貯玉カードへの貯玉数の積み増しを行って、再度貸出し行為を行なうか、又はクレジットカードでの決済を行なうかの選択を行なう必要が有る事を、表示部７に表示する。そして、制御部４は、操作部８からの利用者の選択（指示命令）信号を読み出し、その選択信号が貯玉の積み増しであると判定すると、貸出処理を中止とする（ステップＳ１３）。なお、貸出処理を終了した場合、制御部４は、操作部８からの利用者の新たな指示命令に基づいて、利用者が有している新たな玉数の分だけ、貯玉カードの貯玉数の積み増しを行い、改めて、ステップＳ１から処理を繰り返す。
また、制御部４は、選択信号がクレジットカードによる決済であると判定すると、クレジットカードによって決済処理を行う（ステップＳ１４）。すなわち、制御部４は、決済情報と貸出料金とを、通信部５を介して管理サーバ２に送信し、これにより決済センター端末３を介して決済を行う。
さらに、制御部４は、ステップＳ１１又はステップＳ１４の処理の後、貸出処理を行って（ステップＳ１５）処理を終了する。
貸出処理としては、貸出日時やＤＶＤの識別番号を会員登録のときの決済情報と対応させて記憶部６に記憶したり、貸し出すＤＶＤを排出したり、レシートを発行したりする種々の処理がある。
【００２４】
次いで、利用者がＤＶＤを返却するときの記録媒体貸出装置１の動作について説明する。
利用者が、操作部８の返却ボタンを押下すると、操作部８は返却要求信号を制御部４に出力する。制御部４は、その返却要求信号を読み出すと（ステップＳ２０）、ＤＶＤの返却動作要求を表示部７に表示する（ステップＳ２１）。これにより、「ＤＶＤを返却してください。」などと表示部７に表示される。そして、制御部４は、バーコードやＲＦＩＤなどのＤＶＤデータ読取部９からの出力を読み出し、信号の出力があるか否かを判定する（ステップＳ２２）。制御部４は、信号の出力がないと判定すると、ＤＶＤデータ読取部９からの出力を再度読み出し、ステップＳ２２の処理を繰り返す。一方、利用者が記録媒体貸出装置１の所定の返却部にＤＶＤを返却すると、ＤＶＤデータ読取部９が、ＤＶＤに付されたＤＶＤデータを読み出し、ＤＶＤの識別番号を制御部４に出力する。制御部４は、識別番号を受け付けると、出力信号があったと判定し、その信号から識別番号を読み出す（ステップＳ２３）。
【００２５】
そして、制御部４は、読み出した識別情報に基づいて、記憶部６に記憶されたＤＶＤの識別情報に対応する貸出日時を抽出する。そして、制御部４は、不図示の計時部から読み出した本日（返却日）の日時情報と抽出した貸出日時とに基づいて、延滞料金を算出し、表示部７に表示する（ステップＳ２４）。さらに、制御部４は、延滞料金が発生しているか否かを判定する（ステップＳ２５）。制御部４は、延滞料金が発生していないと判定すると、そのまま、返却受付処理を行う。お礼文として、制御部４は、「ご利用ありがとうございました。」などと表示部７に表示する（ステップＳ２６）。一方、制御部４は、延滞料金が発生していると判定すると、一旦返却を保留状態とし、貯玉カードの読取動作要求として「貯玉カードを挿入してください。」などと表示部７に表示する（ステップＳ２７）。そして、制御部４は、貯玉カード読取部１０の出力を読み出して、信号の出力があるか否かを判定する（ステップＳ２８）。制御部４は、信号の出力がないと判定すると、貯玉カード読取部１０の出力を再度読み出して、ステップＳ２８の処理を繰り返す。一方、利用者が貯玉カードを挿入部に挿入すると、貯玉カード読取部１０は、貯玉カードから貯玉情報を読み出し、制御部４に出力する。制御部４は、その貯玉情報を受け付けると、出力信号があったと判定し、その出力信号から貯玉情報を読み出す（ステップＳ２９）。
【００２６】
そして、制御部は、読み出した貯玉数が、算出した延滞料金に相当する玉数よりも大きいか否かを判定する（ステップＳ３０）。そして、制御部４は、読み出した貯玉数の方が大きいと判定すると、この貯玉数から、延滞料金に相当する玉数分を減算する（ステップＳ３１）。これによって、延滞料金の決済が行われる。一方、制御部４は、読み出した貯玉数の方が小さいと判定すると、一旦返却を拒絶し、貯玉カードへの貯玉数の積み増しを行って、再度返却行為を行なうか、又はクレジットカードでの決済を行なうかの選択を行なう必要が有る事を、表示部７に表示する。そして、制御部４は、操作部８からの利用者の選択（指示命令）信号を読み出し、その選択信号が貯玉の積み増しであると判定すると、返却処理を中止とする（ステップＳ３３）。なお、返却処理が終了した場合、制御部４は、操作部８からの利用者の新たな指示命令に基づいて、利用者が有している新たな玉数の分だけ、貯玉カードの貯玉数の積み増しを行い、改めて、ステップＳ２０から処理を繰り返す。
また、制御部４は、選択信号がクレジットカードによる決済であると判定すると、クレジットカードによって決済処理を行う（ステップＳ３４）。すなわち、制御部４は、決済情報と延滞料金とを、通信部５を介して管理サーバ２に送信し、これにより決済センター端末３を介して決済を行う。
【００２７】
さらに、制御部４は、ステップＳ３１又はステップＳ３４の処理の後、返却処理を行って（ステップＳ３５）処理を終了する。
返却処理としては、返却されたＤＶＤを格納したり、決済情報と対応付けて返却・決済済み情報を記憶部６に記憶したり、レシートを発行したりする種々の処理がある。
なお、制御部４は、記憶部６に記憶されて返却・決済済み情報のない貸出日時と、不図示の計時部から読み出した本日の日時情報とに基づいて、貸出日時から、例えば３０日経過しているものがあるか否かを、毎日所定の時間に、判定する。そして、制御部４は、経過しているものがないと判定すると、そのまま所定の処理に戻るが、経過しているものがあると判定すると、記憶部６から、対応する決済情報を読み出して、通信部５を介して決済処理を行う。このとき、制御部４は、延滞料金に代えて、ＤＶＤの販売料金に基づいて決済処理を行う。
【００２８】
以上より、本実施形態における記録媒体貸出装置１によれば、ＤＶＤを借りるためだけにわざわざ記録媒体貸出装置１まで利用者が出向く必要がなく、遊技場で遊技したついでにＤＶＤを容易に借りることできる。また、現金決済だけでなく、貯玉カードによって決済することができる。そのため、ＤＶＤの貸し出しにおける利用者の利便性を向上させることができる。
また、景品交換における選択の幅を広めることができ、エンターテイメント性を向上させることができる。
また、クレジットカードの決済情報が、あらかじめ記憶部６に記憶された決済情報と一致する場合のみ、決済を行うことから、セキュリティを向上させることができる。
【００２９】
また、貯玉数が、貸出料金よりも小さい場合に、クレジットカードにより決済が行われることから、確実に貸出料金の決済を行うことができる。
また、貸出日から所定の期間すぎると、自動的にクレジットカードにより、ＤＶＤの販売料金で決済するため、確実に決済を行うことができる。
【００３０】
（実施形態２）
次に、本発明の第２の実施形態について説明する。
図６から図９は、本発明の第２の実施形態を示したものである。
この実施形態と上記第１の実施形態とは基本的構成は同一であり、ここでは主として異なる点について説明する。
【００３１】
本実施形態における記録媒体貸出装置１は、ＤＶＤの貸出時に、あらかじめ設定された所定の期間（例えば、１ヶ月間）の貸出料金を貯玉カードから差し引いておくものである。したがって、利用者から貸出期間の指示などは入力されない。
本実施形態における記録媒体貸出装置１では、図１のクレジットカード読取部１１は設けなくてもよい。
図６及び図７において、ステップＳ１０１からステップＳ１０７は、上記第１の実施形態とほぼ同様の処理である。ただし、本実施形態においては、クレジットカードの読み出し等の処理は不要である。
また、制御部４は、ステップＳ１０３において、ＤＶＤの識別番号のみ読み出し、ステップＳ１０４において、制御部４は、貸出日から例えば１ヶ月分の貸出料金を演算して表示部７に表示する。
【００３２】
また、制御部４は、ステップＳ１０８において、貯玉数が貸出料金に相当する玉数よりも大きいと判定すると、貯玉カードの貯玉数から、貸出料金に相当する玉数を減算する（ステップＳ１１０）。これにより、１ヵ月分の貸出料金があらかじめ貯玉数から減算される。そして、制御部４は、貸出処理を行い（ステップＳ１１１）、処理を終了する。一方、制御部４は、ステップＳ１０８において、貯玉数が貸出料金に相当する玉数よりも小さいと判定すると、貯玉数が足りない旨を表示部７に表示して（ステップＳ１０９）処理を終了する。
【００３３】
また、本実施形態における記録媒体貸出装置１は、ＤＶＤの返却時に、貸出料金の差額として、あらかじめ減算しておいた分の玉数を貯玉カードに戻し入れるものである。
図８及び図９において、ステップＳ２００からＳ２０７は、上記第１の実施形態とほぼ同様の処理である。ただし、ステップＳ２０７において、制御部４は、貸出日から１ヵ月後の返却予定日と、不図示の計時部から読み出した返却日の日時情報と、に基づいて、延滞料金を演算する。
そして、ステップＳ２０８において、制御部４は、延滞料金が発生していると判定すると、貯玉カードの貯玉数から延滞料金に相当する玉数を減算する（ステップＳ２０９）。一方、制御部４は、延滞料金が発生していないと判定すると、返却予定日から実際の返却日までの差額を演算し、この差額分に相当する玉数を貯玉カードの貯玉数に加算する（ステップＳ３００）。これにより、あらかじめ減算しておいた１か月分の貸出料金と、貸出日から実際の返却日までの通常の延滞料金との差額分に相当する玉数が戻し入れられる。
【００３４】
以上より、本実施形態における記録媒体貸出装置１によれば、ＤＶＤの貸し出しにおける利用者の利便性を向上させることができるだけでなく、容易かつ確実に決済を行うことができる。
【００３５】
なお、図２から図９における記録媒体貸出装置１の機能を実現するためのプログラムをコンピュータ読み取り可能な記録媒体に記録して、この記録媒体に記録されたプログラムをコンピュータシステムに読み込ませ、実行することによりＤＶＤの貸出のための処理を行ってもよい。なお、ここでいう「コンピュータシステム」とは、ＯＳや周辺機器等のハードウェアを含むものとする。
【００３６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３７】
また、本実施形態においては、ステップＳ６において、クレジットカード及び貯玉カードの両方の出力を読み出すとしたが、利用者がクレジットカードのみの決済ボタンを押下した場合には、クレジットカードのみにより決済を行ってもよい。
また、ステップＳ１０からＳ１２、及び、ステップＳ３０からＳ３２において、貯玉カード又はクレジットカードのいずれか一方により全額決済するとしたが、貯玉カードの貯玉数を全て減算し、不足分をクレジットカードによって決済してもよい。
また、本実施形態においては、記録媒体貸出装置１がパチンコなどの遊技場で利用されるものとしたが、これに限ることはなく、ホテルや映画館、ゲームセンターなどでも利用可能である。
また、本実施形態においては、記録媒体貸出装置１が管理サーバ２に接続されるものとしたが、これに限ることはなく、管理サーバ２の機能を記録媒体貸出装置１の中に組み込んでもよい。
なお、本発明の技術範囲は上記の実施形態に限定されるものではなく、本発明の趣旨を逸脱しない範囲において、種々の変更を加えることが可能である。
【図面の簡単な説明】
【００３８】
【図１】本発明の第１実施形態における記録媒体貸出装置の実施形態を示すブロック図である。
【図２】貸出時における記録媒体貸出装置の動作を示すフローチャートである。
【図３】図２に続いて、貸出時における記録媒体貸出装置の動作を示すフローチャートである。
【図４】返却時における記録媒体貸出装置の動作を示すフローチャートである。
【図５】図４に続いて、返却時における記録媒体貸出装置の動作を示すフローチャートである。
【図６】本発明の第２実施形態における記録媒体貸出装置を示す図であって、貸出時における記録媒体貸出装置の動作を示すフローチャートである。
【図７】図６に続いて、貸出時における記録媒体貸出装置の動作を示すフローチャートである。
【図８】本実施形態における返却時の記録媒体貸出装置の動作を示すフローチャートである。
【図９】図８に続いて、返却時における記録媒体貸出装置の動作を示すフローチャートである。
【符号の説明】
【００３９】
１    記録媒体貸出装置
４    制御部（算出手段、決済手段）
６    記憶部（記憶手段）
１０  貯玉カード読取部（利用カード読取手段）
１１  クレジットカード読取部（決済カード読取手段）
【図１】
2009288966.tif 000003
【図２】
2009288966.tif 000004
【図３】
2009288966.tif 000005
【図４】
2009288966.tif 000006
【図５】
2009288966.tif 000007
【図６】
2009288966.tif 000008
【図７】
2009288966.tif 000009
【図８】
2009288966.tif 000010
【図９】
2009288966.tif 000011